(57)【特許請求の範囲】
【請求項１】
冷媒の圧力一定制御により吹出温度を一定に制御し、外気を設定室内条件のエンタルピーに処理して室内に給気する外気処理空調機において、
リモコンに室温センサを設け、その室温センサにより検出される室温の実測値が、冷房時は設定温度以下、暖房時は設定温度以上になったとき、前記冷媒圧力および前記吹出温度の目標値を、冷房時には予め定められている目標冷媒圧力および目標吹出温度に上昇させ、暖房時には予め定められている目標冷媒圧力および目標吹出温度に低下させるように自動変更し、該目標冷媒圧力および目標吹出温度に基づいて前記冷媒圧力および前記吹出温度を一定に制御するとともに、
前記目標冷媒圧力および目標吹出温度が変更されている期間中において、冷房時は設定値から前記室温の実測値を引いた値が設定温度差以上、暖房時は前記室温の実測値から設定値を引いた値が設定温度差以上になると、サーモオフ制御を行い、また、冷房時は設定値から前記室温の実測値を引いた値が設定温度差よりも低く、暖房時は前記室温の実測値から設定値を引いた値が設定温度差よりも低くなると、サーモオン制御を行うことを特徴とする外気処理空調機。
【請求項２】
前記冷媒圧力および前記吹出温度の変更時、並びに前記サーモオン／オフ時に、一定の継続時間が設定されていることを特徴とする請求項１に記載の外気処理空調機。
【請求項３】
複数台の室内空調機が並列に接続され、該室内空調機の少なくとも１台以上もしくは全部が外気処理空調機とされているマルチ空調システムにおいて、
前記外気処理空調機が請求項１または２に記載された外気処理空調機とされていることを特徴とするマルチ空調システム。
【請求項４】
前記冷媒圧力および前記吹出温度の変更制御が、
（１）全ての外気処理空調機から要求があった場合
（２）予め特定された代表外気処理空調機から要求があった場合
（３）予め設定された割合の外気処理空調機から要求があった場合
の少なくともいずれか１つにより切換え可能とされていることを特徴とする請求項３に記載のマルチ空調システム。
【請求項５】
前記冷媒圧力および前記吹出温度の変更制御を、前記（１）ないし（３）のいずれで行うかを選択的に切換える切換え手段が設けられていることを特徴とする請求項４に記載のマルチ空調システム。
【発明の詳細な説明】
【技術分野】
【０００１】
本発明は、外気を導入し、それを温度調整して室内に給気する外気処理空調機およびそれを用いたマルチ空調システムに関するものである。
【背景技術】
【０００２】
中小規模のビルにおける空調は、室外機に複数台の室内空調機が並列に接続されているマルチ空調システムの使用が主流になっている。かかるビル用空調システムでは、換気が必要なことから外気を導入しなければならない。外気は、夏期には高温、冬期には低温となっているため、全ての室内空調機で外気を導入して空調すると、システムに大きな負荷がかかってしまう。そこで、外気を或る温度条件まで処理して室内に給気する外調機と称されている外気処理空調機が提供されている。この外気処理空調機は、単独であるいは室内空気を吸込んで設定温度に調整して吹出す室内空調機と組み合わされて用いられる。
【０００３】
外気処理空調機は、外気を或る条件まで処理して室内に給気する空調機であり、図７に示されるように、例えば、冷房時には、設計外気条件Ａの外気を設計室内条件Ｂと等エンタルピーの条件Ｃに処理し、暖房時には、設計外気条件Ｅの外気を設計室内条件Ｆと等エンタルピーの条件Ｇに処理するものである。このため、外気処理空調機は、一般に圧力一定制御で吹出温度が一定となるように制御されている。特許文献１には、通常の室内空調機と並列に接続されている外気処理空調機を、外気温度が１５〜２５℃の場合、外気をそのまま導入する送風モードで、外気温度が１５℃以下の場合、暖房モード（吹出温度２２℃一定）で、外気温度が２５℃以下の場合、冷房モード（吹出温度１８℃一定）で自動運転するようにしたもので示されている。
【０００４】
また、特許文献２には、通常の室内空調機と外気処理空調機とが並列に接続されているマルチ空調システムにおいて、室内が設定温度に達した場合、通常の室内空調機をサーモオフし、局所空調を行っている室内空調機をそのまま継続運転するとともに、局所空調台数が増加して室温が設定温度を下回ったとき、吹出温度一定制御が行われている外気処理空調機の吹出温度設定値を１８℃から２２℃に上昇させることによって、過冷房を回避するようにしたものが示されている。
【先行技術文献】
【特許文献】
【０００５】
【特許文献１】特開平９−２８７８００号公報
【特許文献２】国際公開第２００８／０８７９５９号
【発明の概要】
【発明が解決しようとする課題】
【０００６】
外気処理空調機においては、吹出温度を、例えば冷房時、１８〜２６℃、暖房時、１８〜２３℃に設定し、吹出温度一定制御で運転している。このため、負荷が低下する中間期において、過冷房や過暖房が発生し易く、特に外気処理空調機が小さい部屋に設置されている場合、その傾向が顕著となる。これは、夏期と中間期あるいは冬期と中間期において同じ吹出温度で制御しているためであり、このような事態を避けるには、例えば吹出温度を夏期は１８℃、中間期は２６℃というように変更する必要があった。しかし、吸込温度を変えることが一般的な空調機の分野において、吹出温度を変えるという行為は、一般使用者にとって馴染みにくいという課題があった。
【０００７】
一方、特許文献２のように、室温が設定温度を下回ったとき、吹出温度一定制御が行われている外気処理空調機の吹出温度設定値を上昇させる制御を行うことによって、過冷房を回避し、空調フィーリングを改善することができる。しかし、従来の外気処理空調機においては、室内温度にかかわらず、吸込温度（外気温度）が、例えば吹出温度の設定値＋１ｄｅｇになるまで運転を継続し、吸込温度（外気温度）が吹出温度設定値＋１ｄｅｇになったとき、サーモオフするのが一般的であるため、十分な省エネ効果が得られないという課題があった。
【０００８】
本発明は、このような事情に鑑みてなされたものであって、通常の空調機と同じ感覚で室温を設定することにより、過冷房や過暖房を回避して空調フィーリングを向上することができるとともに、高い省エネ効果を得ることができる外気処理空調機およびそれを用いたマルチ空調システムを提供することを目的とする。
【課題を解決するための手段】
【０００９】
上記した課題を解決するために、本発明の外気処理空調機およびそれを用いたマルチ空調システムは、以下の手段を採用する。
すなわち、本発明にかかる外気処理空調機は、冷媒の圧力一定制御により吹出温度を一定に制御し、外気を設定室内条件のエンタルピーに処理して室内に給気する外気処理空調機において、リモコンに室温センサを設け、その室温センサにより検出される室温の実測値が、冷房時は設定温度以下、暖房時は設定温度以上になったとき、前記冷媒圧力および前記吹出温度の目標値を、冷房時には予め定められている目標冷媒圧力および目標吹出温度に上昇させ、暖房時には予め定められている目標冷媒圧力および目標吹出温度に低下させるように自動変更し、該目標冷媒圧力および目標吹出温度に基づいて前記冷媒圧力および前記吹出温度を一定に制御するとともに、前記目標冷媒圧力および目標吹出温度が変更されている期間中において、冷房時は設定値から前記室温の実測値を引いた値が設定温度差以上、暖房時は前記室温の実測値から設定値を引いた値が設定温度差以上になると、サーモオフ制御を行い、また、冷房時は設定値から前記室温の実測値を引いた値が設定温度差よりも低く、暖房時は前記室温の実測値から設定値を引いた値が設定温度差よりも低くなると、サーモオン制御を行うことを特徴とする。
【００１０】
本発明によれば、冷媒の圧力一定制御により吹出温度を一定に制御している外気処理空調機において、リモコンに設けられている室温センサによって検出された室温の実測値が設定値に達したとき、冷媒圧力および吹出温度の目標値をそれぞれ予め定められている目標冷媒圧力および目標吹出温度に自動変更し、該目標冷媒圧力および目標吹出温度に基づいて冷媒圧力および吹出温度を一定に制御するとともに、その目標冷媒圧力および目標吹出温度の変更時、室温の実測値と設定値との差が設定温度差に達したか否かでサーモオン／オフ制御を行うようにしているので、使用者は普通の室内空調機と同様の感覚でリモコンにより室温を設定することができ、その設定値にリモコンに設けた室温センサで検出された室温の実測値が達したとき、冷媒圧力および吹出温度の目標値をそれぞれ予め定められている目標冷媒圧力および目標吹出温度に自動変更することによって、該目標冷媒圧力および目標吹出温度に基づいて圧力および吹出温度を一定に制御することができる。つまり、冷房時であれば、冷媒の吸入圧（低圧）を検出してそれが目標冷媒圧力となるように圧縮機の回転数制御により冷媒の吸入圧を一定に制御するとともに、吹出温度を検出してそれが目標吹出温度となるように膨張弁の開度制御により吹出温度を一定に制御し、暖房時であれば、冷媒の吐出圧（高圧）を検出して、それが目標冷媒圧力となるように圧縮機の回転数制御により冷媒の吐出圧を一定に制御するとともに、吹出温度を検出して、それが目標吹出温度となるように膨張弁の開度制御により吹出温度を一定に制御することができる。このため、外気処理空調機による過冷房や過暖房を防止し、空調フィーリングを向上することができる。また、目標冷媒圧力を変更して圧縮機の運転周波数を低減することにより省エネ化を図ることができるとともに、室温の実測値と設定値との差が設定温度差になったとき、サーモオフ（圧縮機を停止）するようにしているため、省エネ効果の更なる向上を図ることができる。
【００１１】
さらに、本発明の外気処理空調機は、上記の外気処理空調機において、前記冷媒圧力および前記吹出温度の変更時、並びに前記サーモオン／オフ時に、一定の継続時間が設定されていることを特徴とする。
【００１２】
本発明によれば、冷媒圧力および吹出温度の変更時、並びにサーモオン／オフ時に、一定の継続時間が設定されているので、室温の実測値が設定値に達したか否か、あるいはその温度差が設定温度差に達したか否かに対し、一定の継続時間を以って冷媒圧力および吹出温度の変更タイミングやサーモオン／オフのタイミングを計ることにより、ハンチングを防止することができる。このため、冷媒圧力および吹出温度の自動変更時やサーモオン／オフ時のハンチングを抑制し、制御の安定化を図ることができる。
【００１３】
また、本発明にかかるマルチ空調システムは、複数台の室内空調機が並列に接続され、該室内空調機の少なくとも１台以上もしくは全部が外気処理空調機とされているマルチ空調システムにおいて、前記外気処理空調機が上述のいずれかの外気処理空調機とされていることを特徴とする。
【００１４】
本発明によれば、複数台の室内空調機が並列に接続されているマルチ空調システムにおいて、その室内空調機の少なくとも１台以上もしくは全部が上述のいずれかの外気処理空調機とされているので、外気処理空調機のみが運転される場合には、上記と同様の運転制御によって、過冷房や過暖房を防止し、空調フィーリングを向上することができるとともに、圧縮機を可及的に低運転周波数で運転あるいは停止することにより、省エネ運転を行うことができる。また、普通の室内空調機と併用して運転される場合には、室内空調機側の運転に合せて、外気処理空調機側での冷媒圧力および吹出温度の変更制御は行わず、冷媒の圧力一定制御により吹出温度が一定となるように運転制御するか、もしくは予め定められているルールに基づいて室内空調機および外気処理空調機を運転することによって、両機を併用して運転することができる。このため、普通の室内空調機と外気処理空調機が混在するマルチ空調システムにも同様に適用することができる。
【００１５】
さらに、本発明のマルチ空調システムは、上記のマルチ空調システムにおいて、前記冷媒圧力および前記吹出温度の変更制御が、（１）全ての外気処理空調機から要求があった場合、（２）予め特定された代表外気処理空調機から要求があった場合、（３）予め設定された割合の外気処理空調機から要求があった場合の少なくともいずれか１つにより切換え可能とされていることを特徴とする。
【００１６】
本発明によれば、冷媒圧力および吹出温度の変更制御が、（１）全ての外気処理空調機から要求があった場合、（２）予め特定された代表外気処理空調機から要求があった場合、（３）予め設定された割合の外気処理空調機から要求があった場合の少なくともいずれか１つにより切換え可能とされているので、複数台の外気処理空調機から別々に目標冷媒圧力および目標吹出温度を変更する省エネ運転制御の要求があったとしても、予め（１）ないし（３）のいずれで切換えるかを定めておくことにより、そのいずれかで適正に省エネ運転を行うことができる。つまり、マルチ空調システムにおいては、複数台の外気処理空調機から別々に省エネ運転制御の要求があったとしても、同じ冷媒系統に接続されている室内空調機および外気処理空調機に対する圧力設定値は１つしか設定できない。しかし、上記（１）ないし（３）のように予め条件を設定し、どの条件で切換えるかを定めておくことによって、適正に省エネ運転を行うことができる。なお、（１）の場合、全ての外気処理空調機が能力低減を要求していることになるので、能力を下げる方向にシフトしても何ら問題はない。（２）の場合、特定の部屋の快適性が優先されることになり、他の部屋は多少犠牲になるが、空調自体は維持されているため、大きなトラブルにはならない。（３）の場合、或る割合の外気処理空調機からの要求で切換えられることになり、省エネ運転としては最も好ましい。この場合の割合は５０％が一般的であるが、状況により比率を適宜変更できるようにしてもよい。
【００１７】
さらに、本発明のマルチ空調システムは、上記のマルチ空調システムにおいて、前記冷媒圧力および前記吹出温度の変更制御を、前記（１）ないし（３）のいずれで行うかを選択的に切換える切換え手段が設けられていることを特徴とする。
【００１８】
本発明によれば、冷媒圧力および吹出温度の変更制御を、前記（１）ないし（３）のいずれで行うかを選択的に切換える切換え手段が設けられているので、室外コントローラ等に設けられている切換え手段により、マルチ空調システムの据え付け環境に応じて、（１）ないし（３）の中からいずれか最適な切換え方法を選択することができる。このため、マルチ空調システムを据え付け環境に合わせた最適な状態で運転することが可能となる。
【発明の効果】
【００１９】
本発明の外気処理空調機によると、使用者は普通の室内空調機と同様の感覚でリモコンにより室温を設定することができ、その設定値にリモコンに設けた室温センサで検出された室温の実測値が達したとき、冷媒圧力および吹出温度の目標値をそれぞれ予め定められている目標冷媒圧力および目標吹出温度に自動変更することによって、該目標冷媒圧力および目標吹出温度に基づいて冷媒圧力および吹出温度を一定に制御することができる。つまり、冷房時であれば、冷媒の吸入圧（低圧）を検出して、それが目標冷媒圧力となるように圧縮機の回転数制御により冷媒の吸入圧を一定に制御するとともに、吹出温度を検出してそれが目標吹出温度となるように膨張弁の開度制御により吹出温度を一定に制御し、暖房時であれば、冷媒の吐出圧（高圧）を検出してそれが目標冷媒圧力となるように圧縮機の回転数制御により冷媒の吐出圧を一定に制御するとともに、吹出温度を検出してそれが目標吹出温度となるように膨張弁の開度制御により吹出温度を一定に制御することができるため、外気処理空調機による過冷房や過暖房を防止し、空調フィーリングを向上することができる。また、目標冷媒圧力を変更して圧縮機の運転周波数を低減することにより省エネ化を図ることができるとともに、室温の実測値と設定値との差が設定温度差になったとき、サーモオフ（圧縮機を停止）するようにしているため、省エネ効果の更なる向上を図ることができる。
【００２０】
本発明のマルチ空調システムによると、外気処理空調機のみが運転される場合には、上記と同様の運転制御によって、過冷房や過暖房を防止し、空調フィーリングを向上することができるとともに、圧縮機を可及的に低運転周波数で運転あるいは停止することによって、省エネ運転を行うことができる。また、普通の室内空調機と併用して運転される場合には、室内空調機側の運転に合せて、外気処理空調機側での冷媒圧力および吹出温度の変更制御は行わず、冷媒の圧力一定制御により吹出温度が一定となるように運転制御するか、もしくは予め定められているルールに基づいて室内空調機および外気処理空調機を運転することによって、両機を併用して運転することができるため、普通の室内空調機と外気処理空調機が混在するマルチ空調システムにも同様に適用することができる。
【図面の簡単な説明】
【００２１】
【図１】本発明の一実施形態にかかるマルチ空調システムの概念図である。
【図２】図１に示すマルチ空調システムに用いる外気処理空調機の構成図である。
【図３】図２に示す外気処理空調機と室内空調機とが併用されたマルチ空調システムの構成図である。
【図４】図２に示す外気処理空調機の圧力一定制御のフロー図である。
【図５】図２に示す外気処理空調機の圧力切換え時の動作概念図である。
【図６】図２に示す外気処理空調機の冷房運転時のタイミングチャート図である。
【図７】外気処理空調機の基本動作を説明するための空気線図である。
【図８】図２に示す外気処理空調機の動作を説明するための空気線図である。
【発明を実施するための形態】
【００２２】
以下に、本発明の一実施形態について、図１ないし図８を参照して説明する。
図１には、本発明の一実施形態にかかるマルチ空調システムの概念図が示され、図２には、該システムに用いる外気処理空調機の構成図が示され、図３には、外気処理空調機と室内空調機とが併用されたマルチ空調システムの構成図が示されている。
マルチ空調システム１は、室外機２と、該室外機２に対して複数台の通常の室内空調機（単に、空調機という場合もある。）３および外気処理空調機（単に、外調機という場合もある。）４が互いに並列に接続された構成とされている。
【００２３】
なお、本発明において、通常の室内空調機（空調機）３とは、室内の空気を吸込んで冷却または加熱した後、該空気を室内に吹出すタイプの空調機であり、外気処理空調機（外調機）４とは、外気を導入して設定室内条件と等エンタルピーに処理して室内に給気するタイプの空調機である。これらの室内空調機３および外気処理空調機４は、冷媒配管（液側配管とガス側配管）５を介して互いに並列に接続されている。マルチ空調システム１としては、外気処理空調機４が複数台接続される場合と、図１に示されるように、室内空調機３と外気処理空調機４とが混在して接続される場合とがある。室外機２には、室外コントローラ６が設けられている。
【００２４】
外気処理空調機４は、図２に示されるように、ダクトを介して天井裏に設置されるユニット本体７内に、室内熱交換器８と、送風機９と、電子膨張弁１０と、室内コントローラ１１と、吸込空気温度を検出する吸込温度センサ１２と、吹出空気温度を検出する吹出温度センサ１３等とが設けられた構成とされている。室内コントローラ１１には、外気処理空調機４の運転操作を行うワイヤードリモコン１４が接続されている。このワイヤードリモコン１４には、外気処理空調機４のオン／オフスイッチや温度設定手段等の他、室温センサ１５等が設けられている。
【００２５】
また、室内空調機３および外気処理空調機４が混在して設置される場合は、図３に示されるように、外気処理空調機４に対して、例えば、ユニット本体１６内に、室内熱交換器１７、送風機１８、電子膨張弁（図示省略）、室内コントローラ１９等が設けられている天井埋込み型の室内空調機３が並列に接続配設され、この室内空調機３によって、室内の空気を吸込み、その吸込温度が設定温度となるように空調する構成とされる。
【００２６】
外気処理空調機４は、基本的には圧力一定制御により吹出温度が一定に制御されるように構成されており、図７に示されるように、例えば、冷房時には、設計外気条件Ａの外気を設計室内条件Ｂと等エンタルピーの条件Ｃに処理し、暖房時には、設計外気条件Ｅの外気を設計室内条件Ｆと等エンタルピーの条件Ｇに処理するものである。本実施形態においては、これに加えて、室温センサ１５で検出された室温の実測値が、ワイヤードリモコン１４により使用者が設定した設定値Ｔｓに達したとき、その圧力および吹出温度を設定温度に応じて予め定められている目標圧力および目標吹出温度に自動変更し、該目標圧力および目標吹出温度に基づいて圧力および吹出温度を一定に制御する構成とされている。
【００２７】
つまり、外気処理空調機４の吹出温度Ｔｃは、図８に示されるように、通常、設計室内条件Ｔｂより低くされているため、中間期や部屋の負荷が小さいときは、外気処理空調機４だけで冷房できるが過冷房となり易い。そこで、室温が設定値Ｔｓに達して負荷が低下した場合、目標吹出温度をＴｃから予め設定されている条件Ｄの吹出温度Ｔｄ（＝Ｔｂ）に変更し、同時に圧力（吸入圧）を予め設定されている目標圧力に上昇させるようにしている。なお、図８には、冷房時、吹出温度Ｔｃを１９℃から２６℃に変更する例が示されている。一方、暖房時は、冷房時とは逆に、吹出温度が設計室内条件より高くされているため、負荷が小さいと過暖房になり易くなるので、この場合、目標吹出温度を低下させると同時に、圧力（吐出圧）を予め設定されている目標圧力に低下させるようにしている。
【００２８】
圧力一定制御は、室外コントローラ６を介して、図４に示されるように実行される。まず、ステップＳ１で運転が開始され、圧縮機の初期回転数が決定されると、ステップＳ２に移行される。ここで、機種容量や運転周波数Ｈｚ等により目標圧力Ａが決定されるとともに、冷房時には、圧力センサにより吸入圧（低圧）、暖房時には、圧力センサにより吐出圧（高圧）がそれぞれ圧力検出値Ｂとして検出される。この目標圧力Ａと圧力検出値ＢとがステップＳ３において比較され、Ａ＞Ｂの場合、ステップＳ４に移行して圧縮機の運転周波数Ｈｚを上昇させ、また、Ａ＜Ｂの場合、ステップＳ５に移行して圧縮機の運転周波数Ｈｚを下降させ、Ａ＝Ｂの場合、ステップＳ６に移行して圧縮機運転周波数Ｈｚをキープし、冷房時には吸入圧（低圧）が一定、暖房時には吐出圧（高圧）が一定となるように圧力を制御するものである。
【００２９】
一方、吹出温度一定制御は、室内コントローラ１１により、吹出温度を吹出温度センサ１３によって検出し、その検出値が目標吹出温度となるように、電子膨張弁１０の開度を制御して吹出温度を一定に制御するものである。
本実施形態の外気処理空調機４は、圧力一定制御を行いながら、吹出温度一定制御を行うものにおいて、負荷が低下して室温が設定値Ｔｓに達すると、圧力一定制御の目標圧力および吹出温度一定制御の目標吹出温度を自動的に変更して過冷房や過暖房を防止すると同時に、省エネ運転されるように構成されている。以下に、図６のタイミングチャート図に基づいて、冷房時の圧力一定制御、吹出温度一定制御の例を説明する。
【００３０】
本例は、外気処理空調機（外調機）４が目標吹出温度１５℃で吹出温度一定制御、圧力一定制御で運転されている場合の例であり、室温センサ１５で検出される室温の実測値が徐々に低下し、ａ点で室温が設定値Ｔｓに達すると、目標吹出温度が標準の１５℃から予め設定されている２０℃に変更されると同時に、吸入圧（低圧）が標準圧力から予め設定されている目標圧力に上昇される。この目標吹出温度および目標圧力の変更は、図５に示されるように、設定値（点）Ｔｓで切換えられるが、一定の継続時間、例えば２分間の継続時間を以って切換えられるように設定されている。なお、この継続時間は、可変できるようにしてもよい。
【００３１】
ａ点で目標吹出温度および目標圧力が自動変更されると、圧縮機の運転周波数Ｈｚが低減され、外気処理空調機４は能力が低下された状態で吹出温度一定制御、圧力一定制御で省エネ運転されることになる。この場合、負荷が小さくなっているため、室温の低下が緩やかになる。そのまま室温が低下し、ｂ点で室温と設定値Ｔｓとの差が設定温度差（設定値Ｔｓ±１ｄｅｇ）になると、外気処理空調機４はサーモオフされ、送風機９のみが運転された状態となる。このサーモオフによって、設定値Ｔｓ−１ｄｅｇより多少オーバーシュートしていた室温は、徐々に上昇を開始し、ｃ点で室温と設定値Ｔｓとの差が設定温度差（設定値Ｔｓ±１ｄｅｇ）となると、外気処理空調機４はサーモオンとなり、圧縮機の運転が再開される。
【００３２】
このとき、目標吹出温度および目標圧力は、ａ点で変更された温度（２０℃）および圧力のままとされ、外気処理空調機４は能力が低下された状態で吹出温度一定制御、圧力一定制御により省エネ運転される。この運転は、目標吹出温度および目標圧力を変更した省エネ運転のため、室温は緩やかに上昇し、ｄ点で室温が設定値Ｔｓに達すると、目標吹出温度および目標圧力は、運転開始時の標準温度（１５℃）および標準圧力にそれぞれ低下される。以上の繰り返しにより、外気処理空調機４を室温の設定値に応じて目標吹出温度および目標圧力を自動変更し、過冷房を防止しながら省エネ運転することができる。
【００３３】
なお、上記は冷房時の例であるが、暖房時も同様に、目標吹出温度および目標圧力を自動変更し、過暖房を防止しながら省エネ運転を行うことができる。但し、暖房時は、室温の変化が、図６の場合とは逆になるとともに、吹出温度が、例えば４０℃の標準温度から３０℃の目標吹出温度に低下され、吐出圧（高圧）が標準圧力から予め定められている目標圧力に低下されることになる。
【００３４】
また、上記は外気処理空調機４が１台のシングル機の例であるが、外気処理空調機４が複数台並列に接続されるマルチ空調システム１においては、外気処理空調機４と室内空調機３が混在する場合、更にはそれらが複数の部屋に分けて設置される場合等がある。このため、室温が設定温度Ｔｓに到達するタイミングも様々であり、各々の外気処理空調機４から別々に目標吹出温度および目標圧力を変更する省エネ運転の要求が出されることになるが、これらの外気処理空調機４と室内空調機３は、同じ冷媒系統に接続されており、目標圧力は一つしか設定できないため、予め処理パターンを設定しておく必要がある。
【００３５】
本実施形態では、以下の３パターンのいずれかが選択可能とされ、室外コントローラ６に切換え手段２０（図１参照）を設けることにより、マルチ空調システム１の据え付け環境等に応じて、そのいずれかが任意に選択可能とされ、適正に省エネ運転を行うことができるように構成されている。
（１）全ての外気処理空調機４から要求があったとき、目標吹出温度および目標圧力を変更する。
（２）予め特定されている代表外気処理空調機４から要求があったとき、目標吹出温度および目標圧力を変更する。
（３）予め設定されている割合の外気処理空調機４から要求があったとき、目標吹出温度および目標圧力を変更する。
【００３６】
なお、上記（１）の場合、全ての外気処理空調機４が能力低減を要求していることになるので、能力を下げる方向にシフトしても何ら問題はない。また、（２）の場合、特定の部屋の快適性が優先されることになり、他の部屋は多少犠牲になるが、空調自体は維持されているため、大きなトラブルにはならない。但し、この場合は、代表外気処理空調機４からの要求であることを特定するために、アドレスの設定が必要となる。さらに、（３）の場合、或る割合の外気処理空調機４からの要求で切換えられることになり、省エネ制御としては最も好ましい。この場合の割合は、全台数の５０％とするのが一般的であるが、状況により比率を適宜変更できるようにしてもよい。
【００３７】
斯くして、本実施形態に係る外気処理空調機４によると、室温センサ１５で検出された室温の実測値が設定値Ｔｓに達したとき、圧力および吹出温度の目標値をそれぞれ予め定められている目標圧力および目標吹出温度に自動変更し、該目標圧力および目標吹出温度に基づいて圧力および吹出温度を一定に制御するとともに、室温の実測値と設定値Ｔｓとの差が設定温度差（設定値Ｔｓ±１ｄｅｇ）に達したか否かでサーモオン／オフ制御を行う構成としているため、一般使用者は普通の室内空調機３と同様の感覚で室温を設定することができ、その設定値Ｔｓに室温センサ１５による実測値が到達したとき、圧力および吹出温度の目標値をそれぞれ予め定められている目標圧力および目標吹出温度に自動変更することにより、その目標圧力および目標吹出温度に基づいて圧力および吹出温度を一定に制御することができる。
【００３８】
すなわち、冷房時であれば、吸入圧（低圧）を検出してそれが目標圧力となるように圧縮機の回転数制御により圧力を一定に制御するとともに、吹出温度を吹出温度センサ１３で検出してそれが目標吹出温度となるように電子膨張弁１０の開度制御により吹出温度を一定に制御し、暖房時であれば、吐出圧（高圧）を検出してそれが目標圧力となるように圧縮機の回転数制御により圧力を一定に制御するとともに、吹出温度を吹出温度センサ１３で検出してそれが目標吹出温度となるように電子膨張弁１０の開度制御により吹出温度を一定に制御することができる。
【００３９】
このため、外気処理空調機４による過冷房や過暖房を防止し、空調フィーリングを向上することができる。また、目標圧力を変更して圧縮機の運転周波数を低減することにより省エネ化を図ることができるとともに、室温センサ１５の実測値と設定値Ｔｓとの差が設定温度差（設定値Ｔｓ±１ｄｅｇ）になったとき、サーモオフ（圧縮機を停止）するようにしているため、省エネ効果の更なる向上を図ることができる。
【００４０】
また、上記した圧力および吹出温度の変更時、並びにサーモオン／オフ時に、一定の継続時間を設定しているため、室温の実測値が設定値Ｔｓに達したか否か、あるいはその温度差が設定温度差（設定値Ｔｓ±１ｄｅｇ）に達したか否かに対し、一定の継続時間を以って圧力および吹出温度の変更タイミングやサーモオン／オフのタイミングを計ることによって、ハンチングを防止することができる。このため、圧力および吹出温度の自動変更時やサーモオン／オフ時のハンチングを抑制し、制御の安定化を図ることができる。
【００４１】
また、マルチ空調システム１の室内空調機の少なくとも１台以上もしくは全部が上記の外気処理空調機４とされているため、外気処理空調機４のみが運転される場合、上記の運転制御により、過冷房や過暖房を防止し、空調フィーリングを向上することができるとともに、圧縮機を可及的に低運転周波数で運転あるいは停止することにより、省エネ運転を行うことができる。一方、普通の室内空調機３と併用して運転される場合、室内空調機３の運転に合せて、外気処理空調機４側での圧力および吹出温度の変更制御は行わず、圧力一定制御により吹出温度が一定となるように運転制御するか、もしくは予め定められているルールに基づいて室内空調機３および外気処理空調機４を運転することによって、両機３，４を併用して運転することができる。従って、普通の室内空調機３と外気処理空調機４が混在するマルチ空調システム１にも同様に適用することができる。
【００４２】
さらに、本実施形態のマルチ空調システム１の場合は、圧力および吹出温度の変更制御が、（１）全ての外気処理空調機４から要求があったとき、目標吹出温度および目標圧力を変更する。（２）予め特定されている代表外気処理空調機４から要求があったとき、目標吹出温度および目標圧力を変更する。（３）予め設定されている割合の外気処理空調機４から要求があったとき、目標吹出温度および目標圧力を変更する。の少なくともいずれか１つで切換え可能とされているため、複数台の外気処理空調機４から別々に目標圧力および目標吹出温度を変更する省エネ運転制御の要求があったとしても、予め（１）ないし（３）のいずれで切換えるかを定めておくことにより、そのいずれかで適正に省エネ運転を行うことができる。
【００４３】
つまり、マルチ空調システム１においては、複数台の外気処理空調機４から別々に省エネ運転制御の要求が出されたとしても、同じ冷媒系統に接続されている室内空調機３および外気処理空調機４に対する圧力設定値は、１つしか設定できない。しかしながら、上記した（１）ないし（３）の如く、予め条件を設定し、どの条件で切換えるかを定めておくことによって、適正に省エネ運転を行うことができる。
【００４４】
また、上記（１）ないし（３）のいずれで圧力および吹出温度の変更制御を行うかを選択的に切換える切換え手段２０が室外コントローラ６に設けられているため、該切換え手段２０によって、マルチ空調システム１の据え付け環境に応じて、（１）ないし（３）の中からいずれか最適な切換え方法を選択することができる。従って、マルチ空調システム１を据え付け環境に合わせた最適な状態で運転することが可能となる。
【００４５】
なお、本発明は、上記実施形態にかかる発明に限定されるものではなく、その要旨を逸脱しない範囲において、適宜変形が可能である。例えば、上記実施形態では、室内空調機３および外気処理空調機４について、天井埋込み型の空調機を例に説明したが、これに限定されるものではなく、床置き型等、他型式の空調機にも同様に適用できることは云うまでもない。
【符号の説明】
【００４６】
１  マルチ空調システム
２  室外機
３  室内空調機（空調機）
４  外気処理空調機（外調機）
５  冷媒配管
６  室外コントローラ
７  ユニット本体
８  室内熱交換器
９  送風機
１０  電子膨張弁
１１  室内コントローラ
１２  吸込温度センサ
１３  吹出温度センサ
１４  ワイヤードリモコン
１５  室温センサ
２０  切換え手段
【図１】
0005695861.tif 000002
【図２】
0005695861.tif 000003
【図３】
0005695861.tif 000004
【図４】
0005695861.tif 000005
【図５】
0005695861.tif 000006
【図６】
0005695861.tif 000007
【図７】
0005695861.tif 000008
【図８】
0005695861.tif 000009